(57)【特許請求の範囲】
【請求項１】
上流側に位置する流入口（１ａ）、下流側に位置して流入口（１ａ）に連通する流出口（１ｂ）、流入口（１ａ）と流出口（１ｂ）との間に形成した上方が開放された弁室（１ｃ）、流入口（１ａ）と弁室（１ｃ）とを仕切る水平な隔壁（１ｄ）、隔壁（１ｄ）に形成されて流入口（１ａ）と弁室（１ｃ）を連通する通水口（１ｅ）をそれぞれ有する本体胴（１）と、弁室（１ｃ）内に昇降自在に配設され、隔壁（１ｄ）の上面に形成した弁座（１ｆ）にスプリング（６）の弾性力又は自重により当座して通水口（１ｅ）を閉塞すると共に、水道水の順方向の流れによって弁座（１ｆ）から離座して通水口（１ｅ）を開放する逆止弁体（２）と、逆止弁体（２）の周囲に配置されて本体胴（１）の弁室（１ｃ）内周面に昇降自在に螺着され、下端部が隔壁（１ｄ）の上面で且つ弁座（１ｆ）の周囲に形成した第２弁座（１ｇ）に当離座して流出口（１ｂ）と通水口（１ｅ）とを連通状態又は非連通状態にする筒状の第２弁体（３）と、第２弁体（３）に着脱自在に螺着され、第２弁体（３）と共に本体胴（１）の弁室（１ｃ）を気密状に閉塞するキャップ（４）とを備えており、前記第２弁体（３）は、締め込み操作により下降して第２弁座（１ｇ）に当座し、流出口（１ｂ）と通水口（１ｅ）とを非連通状態にして逆止弁体（２）の２次側を止水する構成としたことを特徴とする２次側戻り水対策用逆止弁。
【請求項２】
第２弁体（３）の下端部外周面に下方へ行くに従って漸次縮径するテーパ状のシート面（３ａ）を形成し、また、第２弁座（１ｇ）を上方へ行くに従って漸次拡径して第２弁体（３）のシート面（３ａ）に面接触状態で当座する環状のテーパ面に形成し、第２弁体（３）と第２弁座（１ｇ）とをメタルタッチさせたことを特徴とする請求項１に記載の２次側戻り水対策用逆止弁。
【請求項３】
第２弁体（３）の上端部全体を本体胴（１）から突出させて回転操作できるようにし、また、キャップ（４）にこれを回転操作するための複数の摘み片（４ｃ）を設けたことを特徴とする請求項１又は請求項２に記載の２次側戻り水対策用逆止弁。
【請求項４】
キャップ（４）にエアー抜き孔（４ｂ）を形成し、当該エアー抜き孔（４ｂ）にエアー抜きプラグ（１０）を着脱自在に設けたことを特徴とする請求項１、請求項２又は請求項３に記載の２次側戻り水対策用逆止弁。
【発明の詳細な説明】
【技術分野】
【０００１】
本発明は、水道本管からの水道水を戸建住宅や集合住宅等の各家庭に導くための給水管路に設置された水道メータの２次側（出口側）に設置される逆止弁の改良に係り、特に、水道メータの交換時や逆止弁の部品（弁体パッキンを取り付けた逆止弁体）の交換時に、逆止弁の２次側の給水管路に残っている水を簡単に遮断できて戻り水を無くし、水道メータや逆止弁の部品の交換作業を簡素化できると共に、交換作業の負荷低減や作業コストの削減を図れるようにした２次側戻り水対策用逆止弁に関するものである。
【背景技術】
【０００２】
一般に、水道本管からの水道水を戸建住宅や集合住宅等の各家庭に導くための給水管路には、水道水の使用量を記録するための水道メータが設置されている。この水道メータは、８年毎に交換することが義務付けられている。
【０００３】
前記水道メータの１次側（入口側）には、止水栓が設置されており、水道メータの交換時に、止水栓を閉鎖して１次側の水を遮断することによって、水道メータの交換を行えるようにしている。
【０００４】
また、水道メータの２次側（出口側）には、止水栓が設置されていないので、水道メータを交換する際に、２次側の給水管路に残っている水が逆流し、水道メータの交換作業に支障を来たすことがあった。
【０００５】
そこで、近年においては、水道メータの２次側に逆止弁を設置し、水道メータの交換時に戻り水を発生しないようにしている（例えば、特許文献１、特許文献２及び特許文献３参照）。
【０００６】
図４は水道メータ２３の２次側に逆止弁２０を設置した給水管路の一例を示すものであり、当該給水管路は、水道本管２１から分岐させた給水管２２と、給水管２２の途中に設置した水道メータ２３と、水道メータ２３の上流側に設置した止水栓２４と、水道メータ２３の下流側に設置した逆止弁２０等から成り、水道本管２１内の水道水を給水管２２、止水栓２４、水道メータ２３及び逆止弁２０等を通して建物内の蛇口２５に導くようになっている。
【０００７】
しかしながら、水道メータ２３の２次側に設置した逆止弁２０も、永久的に使用することができないので、逆止弁２０の部品（弁体パッキンを取り付けた弁体）を交換したり、逆止弁２０自体を交換したりしなければならない。
この場合、逆止弁２０の一部を開放して部品を取り外した時点、或いは、逆止弁２０自体を取り外した時点で、２次側の給水管２２に残っている水が逆流して流れ出て来ることになる。
【０００８】
特に、集合住宅の場合は、狭いパイプシャフト内で交換作業をする必要があり、配管内部には残圧もあり、想像以上に水が流れ出て来ることになり、溢れ出た水の除去作業に手間取って作業に負荷がかかることになる。
【０００９】
また、戸建て住宅の場合は、敷地内にメータボックスが埋設されており、配管も３階建てまで直結給水されている場合、残圧・水量とも集合住宅の場合よりも多くなり、流れ出た水がメータボックス内に溜まり、その汚れた水が再度配管内に混入することもあった。
【先行技術文献】
【特許文献】
【００１０】
【特許文献１】特許第４３２６５５１号公報
【特許文献２】特開２００６−１２５０１３号公報
【特許文献３】特開２０１２−５７３２３号公報
【発明の概要】
【発明が解決しようとする課題】
【００１１】
本発明は、このような問題点に鑑みて為されたものであり、その目的は、水道メータの交換時や逆止弁の部品（弁体パッキンを取り付けた逆止弁体）の交換時に、逆止弁の２次側の給水管に残っている水を簡単に遮断できて戻り水を無くし、水道メータや逆止弁の部品の交換作業を簡素化できると共に、交換作業の負荷低減や作業コストの削減を図れるようにした２次側戻り水対策用逆止弁を提供することにある。
【課題を解決するための手段】
【００１２】
上記目的を達成するために、本発明の請求項１の発明は、上流側に位置する流入口、下流側に位置して流入口に連通する流出口、流入口と流出口との間に形成した上方が開放された弁室、流入口と弁室とを仕切る水平な隔壁、隔壁に形成されて流入口と弁室を連通する通水口をそれぞれ有する本体胴と、弁室内に昇降自在に配設され、隔壁の上面に形成した弁座にスプリングの弾性力又は自重により当座して通水口を閉塞すると共に、水道水の順方向の流れによって弁座から離座して通水口を開放する逆止弁体と、逆止弁体の周囲に配置されて本体胴の弁室内周面に昇降自在に螺着され、下端部が隔壁の上面で且つ弁座の周囲に形成した第２弁座に当離座して流出口と通水口とを連通状態又は非連通状態にする筒状の第２弁体と、第２弁体に着脱自在に螺着され、第２弁体と共に本体胴の弁室を気密状に閉塞するキャップとを備えており、前記第２弁体は、締め込み操作により下降して第２弁座に当座し、流出口と通水口とを非連通状態にして逆止弁体の２次側を止水する構成としたことに特徴がある。
【００１３】
本発明の請求項２の発明は、第２弁体の下端部外周面に下方へ行くに従って漸次縮径するテーパ状のシート面を形成し、また、第２弁座を上方へ行くに従って漸次拡径して第２弁体のシート面に面接触状態で当座する環状のテーパ面に形成し、第２弁体と第２弁座とをメタルタッチさせたことに特徴がある。
【００１４】
本発明の請求項３の発明は、第２弁体の上端部全体を本体胴から突出させて回転操作できるようにし、また、キャップにこれを回転操作するための複数の摘み片を設けたことに特徴がある。
【００１５】
本発明の請求項４の発明は、キャップにエアー抜き孔を形成し、当該エアー抜き孔にエアー抜きプラグを着脱自在に設けたことに特徴がある。
【発明の効果】
【００１６】
本発明の２次側戻り水対策用逆止弁は、隔壁に形成した弁座に当離座して通水口を開閉する逆止弁体の周囲に筒状の第２弁体を昇降自在に配設し、この第２弁体を締め込み操作により下降させて隔壁の弁座の周囲に形成した第２弁座に当座させることによって、逆止弁体の２次側を止水する構成としているため、水道メータの交換時や逆止弁の部品（逆止弁体）交換時には、第２弁体を締め込み操作するだけで、逆止弁体の２次側を簡単に止水することができ、交換時の作業が簡単な作業となり、水道メータや逆止弁の部品の交換作業を簡素化することができる。
また、本発明の２次側戻り水対策用逆止弁は、水道メータの交換時や逆止弁の部品の交換時に、逆止弁体の２次側を止水できるため、逆止弁の２次側の給水管に残っている戻り水が逆止弁から溢れ出すと云うことがなく、戻り水の除去作業等が不要となって交換作業の負荷を低減することができる。
更に、本発明の２次側戻り水対策用逆止弁は、水道メータの交換時や逆止弁の部品交換時に、逆止弁体の２次側を止水できるため、２次側の戻り水による汚染水の発生の心配がなくなる。
【００１７】
本発明の２次側戻り水対策用逆止弁は、第２弁体と第２弁座とをメタルタッチさせているため、第２弁体にパッキンを設ける必要もなく、部品点数を削減できてコスト低減を図れるうえ、第２弁体を交換する割合も少なくなり、作業負荷の低減や作業コストの削減を図れる。
また、本発明の２次側戻り水対策用逆止弁は、第２弁体の下端部外周面に下方へ行くに従って漸次縮径するテーパ状のシート面を形成し、また、第２弁座を上方へ行くに従って漸次拡径する環状のテーパ面に形成しているため、第２弁体のシート面が第２弁座に当座したときに、第２弁体のテーパ状のシート面と第２弁座のテーパ面による楔作用により第２弁体と第２弁座が緊密に且つ確実に密着し、第２弁体にパッキンを設けてなくてもシール性が大幅に向上することになる。
【００１８】
本発明の２次側戻り水対策用逆止弁は、第２弁体の上端部全体を本体胴から上方へ突出させて回転操作できるようにし、また、キャップにこれを回転操作するための複数の摘み片を設けているため、第２弁体の締め込み操作やキャップの取り外し操作等を行い易くなる。
【００１９】
本発明の２次側戻り水対策用逆止弁は、本体胴の弁室を気密状に閉塞するキャップにエアー抜き孔を形成し、このエアー抜き孔をエアー抜きプラグにより閉塞しているため、エアー抜きプラグを外し、エアー抜き孔から水が出て来ないかを確認することによって、２次側の戻り水が第２弁体で確実に止水されているかどうかを確認することができるので、２次側の戻り水が溢れ出すのを確実に防止することができる。
【図面の簡単な説明】
【００２０】
【図１】本発明の実施の形態に係る２次側戻り水対策用逆止弁の縦断面図である。
【図２】メータユニットの水道メータの２次側に２次側戻り水対策用逆止弁を設置した状態を示す説明図である。
【図３】２次側戻り水対策用逆止弁の逆止弁体を交換する際の説明図である。
【図４】水道メータの２次側に逆止弁を設置した給水管路の一例を示す概略図である。
【発明を実施するための形態】
【００２１】
以下、本発明の実施の形態を図面に基づいて詳細に説明する。
図１は本発明の実施の形態に係る２次側戻り水対策用逆止弁を示し、当該２次側戻り水対策用逆止弁は、水道本管からの水道水を戸建住宅や集合住宅等の各家庭に導くための給水管路に設置された水道メータ１１の２次側（出口側）に設置されており、水道メータ１１の交換時や逆止弁の部品（弁体パッキン８を取り付けた逆止弁体２）の交換時に、２次側戻り水対策用逆止弁の２次側の給水管に残っている水を簡単に遮断できて戻り水を無くせるようにしたものである。
【００２２】
即ち、前記２次側戻り水対策用逆止弁は、図１に示す如く、流入口１ａ、流出口１ｂ、弁室１ｃ、隔壁１ｄ、通水口１ｅ、弁座１ｆ及び第２弁座１ｇを形成した本体胴１と、弁室１ｃ内に昇降自在に配設され、弁座１ｆに当離座して通水口１ｅを開閉する逆止弁体２と、逆止弁体２の周囲に配置されて本体胴１に昇降調整自在に設けられ、下端部が隔壁１ｄの上面に形成した第２弁座１ｇに当離座して流出口１ｂと通水口１ｅとを連通状態又は非連通状態にする筒状の第２弁体３と、第２弁体３に着脱自在に設けられ、第２弁体３と共に本体胴１の弁室１ｃを気密状に閉塞するキャップ４と、本体胴１に着脱自在に設けられ、第２弁体３を本体胴１から抜け止めする弁体押え５と、逆止弁体２とキャップ４との間に介設され、逆止弁体２を弁座１ｆへ当座させるスプリング６とから構成されている。
【００２３】
具体的には、前記本体胴１は、金属材により形成されており、上流側（水道メータ１１側）に位置する横向きの流入口１ａと、下流側に位置して流入口１ａに連通する横向きの流出口１ｂと、流入口１ａと流出口１ｂとの間に形成した上方が開放された弁室１ｃと、流入口１ａと弁室１ｃとを仕切る水平な隔壁１ｄと、隔壁１ｄに形成された通水口１ｅと、通水口１ｅの内周縁部で隔壁１ｄの上面に形成した弁座１ｆと、弁座１ｆの周囲で隔壁１ｄの上面に形成した環状の第２弁座１ｇとを有し、流入口１ａに流入した水道水が通水口１ｅ及び弁室１ｃを経て流出口１ｂに流れるようになっている。
【００２４】
また、本体胴１の弁室１ｃの開口側内周面には、第２弁体３及び弁体押え５の外周面にそれぞれ形成した雄ネジ３ｃ，５ｂに螺合する雌ネジ１ｈが形成されている。
【００２５】
更に、本体胴１の隔壁１ｄに形成した第２弁座１ｇは、上方へ行くに従って漸次拡径する環状のテーパ面に形成されており、後述する筒状の第２弁体３の下端部外周面に形成したテーパ状のシート面３ａに面接触状態で当接するようになっている。
【００２６】
尚、本体胴１の弁室１ｃの開口は、弁室１ｃの開口側内周面に着脱自在に螺着した第２弁体３及び弁体押え５と、第２弁体３の内周面に着脱自在に螺着したキャップ４とにより気密状に閉塞されている。
また、本体胴１の流入口１ａ側の外周面には、配管接続用の袋ナット７が嵌合されている。
【００２７】
前記逆止弁体２は、有底筒状に形成されており、キャップ４の内周面に案内されて弁室１ｃ内に昇降自在に配設されている。この逆止弁体２の下面には、弁座１ｆに当離座する合成ゴム製又はプラスチック製の弁体パッキン８が取り付けられている。
【００２８】
また、逆止弁体２は、逆止弁体２の背面側（上面側）とキャップ４との間に介設したスプリング６の弾性力により弁座１ｆに当座し、通水口１ｅを閉鎖するようになっている。
【００２９】
尚、この実施の形態においては、逆止弁体２をスプリング６の弾性力により弁座１ｆへ当座させるようにしているが、他の実施の形態においては、図示していないが、スプリング６を省略し、逆止弁体２自体が自重により弁座１ｆへ当座するようにしても良い。
【００３０】
前記第２弁体３は、逆止弁体２の周囲に配置されて本体胴１の弁室１ｃの内周面に昇降自在に螺着されており、水道メータ１１の交換時や逆止弁体２の交換時に、逆止弁体２を囲繞して逆止弁体２の２次側を止水できるようにしたものである。
【００３１】
即ち、第２弁体３は、金属材により筒状に形成されており、第２弁体３の下端部外周面には、下方へ行くに従って漸次縮径して第２弁座１ｇのテーパ面に面接触状態で当座するテーパ状のシート面３ａが形成されている。この第２弁体３と本体胴１の第２弁座１ｇとは、メタルタッチとなっている。
【００３２】
また、第２弁体３の中間部外周面には、フランジ部３ｂが形成されており、このフランジ部３ｂの外周面には、本体胴１の弁室１ｃの開口側内周面に形成した雌ネジ１ｈに螺合する雄ネジ部３ｃが形成されている。
【００３３】
そして、第２弁体３は、フランジ部３ｂに形成した雄ネジ３ｃを本体胴１に形成した雌ネジ１ｈに螺合することによって、本体胴１の弁室１ｃの開口側内周面に昇降自在に螺着されており、本体胴１から突出する第２弁体３の上端部を締め込む方向へ回転操作して第２弁体３を下降させ、第２弁体３のテーパ状のシート面３ａを第２弁座１ｇに当座させることによって、逆止弁体２を囲繞して逆止弁体２の二次側を止水できるようになっている。
この第２弁体３は、通常、シート面３ａが第２弁座１ｇから上方へ大きく離座する全開位置（図１に示す位置）にあり、逆止弁体２等の交換時には、シート面３ａが第２弁座１ｇに当座する全閉位置（図３に示す位置）になる。
【００３４】
尚、第２弁体３と本体胴１とは、本体胴１の弁室１ｃ内周面に嵌めたＯリング９によりシールされた状態となっている。
【００３５】
前記キャップ４は、上端が閉塞された筒状に形成されており、キャップ４の上端部外周面には、第２弁体３の上端部内周面に形成した雌ネジ３ｄに螺合する雄ネジ４ａが形成されている。
【００３６】
また、キャップ４には、弁室１ｃ内の空気を外部へ排出するためのエアー抜き孔４ｂが形成されており、このエアー抜き孔４ｂは、エアー抜きプラグ１０により閉塞されている。
【００３７】
更に、キャップ４の上面には、キャップ４を回転操作するための複数の摘み片４ｃが設けられている。
【００３８】
尚、キャップ４と第２弁体３とは、キャップ４の外周面に嵌めたＯリング９によりシールされた状態となっている。
【００３９】
前記弁体押え５は、筒状に形成されており、中間部外周面には、本体胴１の弁室１ｃの開口端面に当接するフランジ部５ａが形成され、また、下端部外周面には、本体胴１の雌ネジ１ｈに螺合する雄ネジ５ｂが形成されている。
【００４０】
また、弁体押え５は、本体胴１の弁室１ｃの開口側内周面に螺着されてフランジ部５ａの下端面が本体胴１の上端面に当接しており、第２弁体３を抜け止めしている。
【００４１】
尚、弁体押え５と第２弁体３とは、第２弁体３の外周面に嵌めたＯリング９によりシールされた状態となっている。
【００４２】
図２はメータユニットの水道メータ１１の２次側に上述した２次側戻り水対策用逆止弁を設置した状態を示し、前記メータユニットは、ベース１２の一端部にスライド機構を備えた１次側継手１３を、また、ベース１２の他端部に一次側継手１３に対向する２次側継手１４を設けたものであり、１次側継手１３を軸方向にスライドさせることで、２次側継手１４との距離が調整され、水道メータ１１の着脱が可能となるようにしたものである。
【００４３】
尚、図２において、１５はボール止水栓、１６はエルボ管である。また、図２に示す２次側戻り水対策用逆止弁は、ベース１２に取り付けられて水道メータ１１の下流側端部に接続できるように本体胴１の形状を若干変えている。
【００４４】
次に、上述した２次側戻り水対策用逆止弁の作用について説明する。
【００４５】
前記２次側戻り水対策用逆止弁は、水道水が流入口１ａから流出口１ｂへ流れるときには、通水口１ｅに達した水道水の水圧により逆止弁体２がスプリング６の弾性力に抗して押し上げられて通水口１ｅを開放し、流入口１ａから流出口１ｂへの水道水の流れを許容し、また、水道水の流入が停止したり、水道水が逆流しようとするときには、逆止弁体２がスプリング６の弾性力により押し下げられて通水口１ｅを閉塞し、流出口１ｂから流入口１ａへの水道水の逆流を防止するようになっている。
【００４６】
そして、水道メータ１１や２次側戻り水対策用逆止弁の逆止弁体２を交換する場合には、先ず、ボール止水栓１５を閉めて水道メータ１１の１次側を止水する。
【００４７】
次に、本体胴１から突出する第２弁体３の上端部を締め込む方向へ回転操作する。そうすると、第２弁体３は、弁室１ｃ内を下降し、下端部外周面に形成したシート面３ａが本体胴１の第２弁座１ｇに当座して全閉位置となる。これにより、逆止弁体２の２次側が止水される（図３（Ａ）参照）。
【００４８】
このとき、第２弁体３の下端部外周面に下方へ行くに従って漸次縮径するテーパ状のシート面３ａに形成し、また、第２弁座１ｇを上方へ行くに従って漸次拡径するテーパ面に形成しているため、第２弁体３の下端部外周面が第２弁座１ｇに当座したときに、第２弁体３のテーパ状のシート面３ａと第２弁座１ｇのテーパ面による楔作用により第２弁体３と第２弁座１ｇが緊密に且つ確実に密着し、第２弁体３にパッキンを設けてなくてもシール性が大幅に向上することになる。
また、第２弁体３は、その上端部全体が本体胴１から上方へ突出しているため、回転操作を行い易い。
【００４９】
そして、第２弁体３により逆止弁体２の２次側を止水したら、キャップ４を緩める方向へ回し、第２弁体３から取り外して弁室１ｃを開放する（図３（Ｂ）参照）。
【００５０】
本体胴１の弁室１ｃを開放したら、逆止弁体２とスプリング６を弁室１ｃから取り出し、逆止弁体２を新しいものと交換する（図３（Ｃ）参照）。
【００５１】
このとき、第２弁体３により逆止弁体２の２次側を止水しているため、キャップ４や逆止弁体２を取り外しても、２次側戻り水対策用逆止弁の２次側の給水管に残っている戻り水が本体胴１から溢れ出すと云うことがなく、戻り水の除去作業等が不要となって作業時間を大幅に短縮することができると共に、２次側の戻り水による汚染水の発生や建物内への浸入の心配がなくなる。
【００５２】
このように、２次側戻り水対策用逆止弁を用いれば、水道メータ１１の交換時や逆止弁体２の交換時に、第２弁体３を締め込み操作するだけで、逆止弁体２の２次側を簡単に止水することができ、交換作業が簡単な作業となり、水道メータ１１や２次側戻り水対策用逆止弁の部品の交換作業を簡素化することができる。
また、２次側戻り水対策用逆止弁の２次側の給水管に残っている戻り水が２次側戻り水対策用逆止弁から溢れ出すと云うことがなく、戻り水の除去作業等が不要となって交換作業の負荷を低減することができると共に、２次側の戻り水による汚染水の発生の心配がなくなる。
【符号の説明】
【００５３】
１は本体胴、１ａは流入口、１ｂは流出口、１ｃは弁室、１ｄは隔壁、１ｅは通水口、１ｆは弁座、１ｇは第２弁座、１ｈは雌ネジ、２は逆止弁体、３は第２弁体、３ａはシート面、３ｂはフランジ部、３ｃは雄ネジ、３ｄは雌ネジ、４はキャップ、４ａは雄ネジ、４ｂはエアー抜き孔、４ｃは摘み片、５は弁体押え、５ａはフランジ部、５ｂは雄ネジ、６はスプリング、７は袋ナット、８は弁体パッキン、９はＯリング、１０はエアー抜きプラグ、１１は水道メータ、１２はベース、１３は１次側継手、１４は２次側継手、１５はボール止水栓、１６はエルボ管。
【図１】
0006021194.tif 000002
【図２】
0006021194.tif 000003
【図３】
0006021194.tif 000004
【図４】
0006021194.tif 000005